(57)【要約】      （修正有）【課題】分割用モニタに映し出された画像の一つと、抽出用モニタに映し出されたそれとを入れ換えることができる。【解決手段】複数の画像を分割して表示する分割用モニタと、一つの画像を表示する抽出用モニタを備えるようにし、分割用モニタに画像形成する映像信号と、抽出用モニタに画像形成する映像信号とを切り換えられるようにした。更に、映像信号を入力する機器の機構制御は、抽出用モニタに画像形成する映像信号を基に出力される制御信号により行うようにした。【選択図】図２
0003129555.tif 000002
【実用新案登録請求の範囲】
【請求項１】
複数の映像信号を入力する入力手段、映像信号の切り換えを行う切換手段、映像信号に基づいて一つの画像を形成する第一の表示手段と一つの画面を分割して複数の画像を形成する第二の表示手段、映像信号の入出力の処理を司る制御手段を備え、前記切換手段は、前記第一の表示手段に出力された映像信号と第二の表示手段に出力された映像信号との切り換えを行うことを特徴とする映像切換システム。
【請求項２】
前記切換手段は、前記第二の表示手段に形成された複数の画像のうち、一の画像とこれとは別の画像との入れ換えを行うことを特徴とする請求項１に記載の映像切換システム。
【請求項３】
前記制御手段は、前記第一の表示手段に画像を形成する映像信号に基づいて、前記入力手段の動作を制御するための制御信号を出力することを特徴とする請求項１に記載の映像切換システム。
【考案の詳細な説明】
【技術分野】
【０００１】本考案は、複数の映像機器から入力された映像信号に基づいてモニタに画像形成させる際に用いられる映像切換装置と、同装置を用いた映像切換システムに関するものである。
【背景技術】
【０００２】映像切換システムとは、各所に設置した複数の映像機器から入力された映像信号を、遠隔地（指令室）に設置したモニタに画像として表示させることにより全体監視を行うものである。
従来のシステムとして、映像機器（以後、カメラとする）Ｎ台と、これに１対１に接続したモニタＮ台とでシステム構成したものの他、別にモニタ（以後、抽出用モニタと呼ぶ）１台を加えて、複数のモニタに映し出された画像のうちの一つをこれに取り出して見ることができるようにしたものが知られている。
また、咋今、映像信号分割装置を用いて、複数の画像を１台のモニタ（以後、分割用モニタと呼ぶ）上に分割して一括表示するとともに、該モニタの表示画面全体に選択した一つの画像だけを映し出して見ることを可能としたシステムが開発されている。
【考案の開示】
【考案が解決しようとする課題】
【０００３】従来のカメラＮ台と、これに１対１に接続したモニタＮ台に、抽出用モニタ１台を加えたシステムは、抽出用モニタに映像を映し出すために該モニタを無映像としておく必要があるため、（Ｎ＋１）台のモニタによってＮ個の画像しか得ることはできなかった。
仮に、抽出用モニタにカメラを接続して映像信号を取り込むようにしても、当初は（Ｎ＋１）個の画像が得られるが、該システムにあっては、抽出用モニタに画像を取り込むときは、該モニタの映像出力を停止する必要があるため、やはり得られる画像個数はＮとなる。よって、いずれにしても、設置モニタ数に等しい個数の画像を得ることはできなかった。また、監視箇所が多い場合には、モニタ設置台数がかさむ等の問題があった。
映像信号分割装置はカメラから入力された複数の映像信号をモニタに分割して出力することを可能としたものである。よって、これを用いたシステムとすることで、複数の監視画像を一台の分割用モニタに一括して表示することができ、各所の状況を瞬時に把握することができるようになった。また、モニタの設置台数を削減することも可能となった。モニタ画面を分割して表示することで個々の画像が小さくなり、画像を細部にわたって監視する必要がある場合には不都合を生じるが、該システムは、これらの画像の一つだけをモニタ画面の全体に映し出すようにすることで対処している。
しかし、例えば４分割表示した画像の一つだけを映し出すと、他の三画像を監視できなくなるという問題があった。
また、従来のシステムでは、カメラ（及びカメラ取り付け台）を遠隔操作する際には、カメラ毎にこれらを特定するための指示入力を行う必要があり、機動性に欠けるという憾みがあった。
本考案は、上記の課題を解決するためになされたものである。
【課題を解決するための手段】
【０００４】上記課題を解決するために請求項１に記載の考案は、複数の映像信号を入力する入力手段、映像信号の切り換えを行う切換手段、映像信号に基づいて一つの画像を形成する第一の表示手段と一つの画面を分割して複数の画像を形成する第二の表示手段、映像信号の入出力の処理を司る制御手段を備え、前記切換手段は、前記第一の表示手段に出力された映像信号と第二の表示手段に出力された映像信号との切り換えを行うようにしている。
請求項２に記載の考案は、前記切換手段は、前記第二の表示手段に形成された複数の画像のうち、一の画像とこれとは別の画像との入れ換えを行うようにしている。
請求項３に記載の考案は、前記制御手段は、前記第一の表示手段に画像を形成する映像信号に基づいて、前記入力手段の動作を制御するための制御信号を出力するようにしている。
【考案の効果】
【０００５】本考案による映像切換システムによれば、分割用モニタに映し出された画像の一つと、抽出用モニタに映し出されたそれとを入れ換えることができる。
従って、製造工程のライン監視等、連続的監視に加えてその細部観察までが要求されるような場合には、ラインの工程に順じて、必要な画像を抽出用モニタの表示画面全体に映し出して見ることができる。
従来システムにおいては、Ｎ台のモニタに映し出されていた画像の一つを取り込むためには、抽出用モニタは無映像とする必要があったが、本考案によるシステムでは、画像を入れ換えるのであって、抽出用モニタに画像形成されていても問題はない。
従って、画像形成域に等しい数の画像を得ることができる。
更に、本システムにおいては、分割用モニタ内の画像を自在に入れ換えることができる。
従って、それらの画像を監視しやすいように、並べ替えて見ることが可能である。
また、本システムでは、カメラ（及びカメラ取り付け台）を遠隔操作するための制御信号を、抽出用モニタに表示された画像を形成する映像信号に基づいて出力するようにしている。
従って、制御信号を特定するための入力指示をすることなく、抽出用モニタを見ながら、それ専用の操作卓によりリアルタイムにカメラ（及びカメラ取り付け台）を遠隔操作できる。即ち、より正確な制御操作が可能となる。
【実施例】
【０００６】図１は、本考案による映像切換装置と、同装置を用いた映像切換システムの概略構成を示したものである。尚、本実施例では、従来の映像信号分割装置を用いたシステムに、本考案による映像切換装置を接続してシステム構成しているが、本映像切換装置は、後述するように映像信号の電路自体を入れ換えるものであるから、映像信号分割装置を介さずに単独として用いることも、勿論可能である。
１ａ〜１ｅは入力手段としてのカメラ、２は映像信号分割装置である。
３は映像信号の切換手段及び入換手段としての映像信号切換装置、４は映像信号の入出力の処理を司る制御手段としての制御部である。制御部４は、この他、後述するカメラ１ａ〜１ｅ、カメラ取り付け台５の動作を制御するための制御信号を出力するものである。６は分割用モニタ、７は抽出用モニタ、８は抽出用モニタ専用の操作卓である。
次に、本映像信号切換装置３による映像信号の切り換え（或いは入れ換え）動作について説明する。本実施例においては、複数の接点を開閉することによって電路形成するようにしている。即ち、制御部４は、入力指示に基づいて接点Ｘ、Ｙ、Ｚを開閉して、電路の切り換えを行い、映像信号を入れ換えている。図２はその様子を示したものである。
接点Ｘ１、Ｙ１、Ｚ１の閉路による分割用モニタ６ａへの映像信号の出力は、接点Ｘ１、Ｙ１、Ｙ２、Ｙ３、Ｙ４、Ｙ５、Ｚ５の閉路により抽出用モニタ７への出力となり、接点Ｘ５、Ｙ５、Ｚ５の閉路による抽出用モニタ７への映像信号の出力は、接点Ｘ５、Ｘ４、Ｘ３、Ｙ３、Ｚ３、Ｚ２、Ｚ１の閉路により分割用モニタ６ａへの出力に切り換えられる。ここに、Ｙ３は電路を非接触とするためのクロスポイントとしている。
また、本実施例においては、上述した映像信号の切り換えを、オートトラッキング方式を採用することにより自動的に行うようにしている。以下に説明する。
例えば、製造ライン監視を、ライン各所に設置した複数のカメラにより行い、これらの入力映像信号を分割用モニタに分割して画像表示しているものとする。各監視地点には、製品通過を感知するセンサを設け、製品が或る地点を通過する瞬間、ライン制御系（電気機構）によりトラッキング信号が出力されるようにする。映像切換装置に係る制御部はこれを検出して、上述の映像信号入れ換え動作がシーケンシャルに行われ、瞬時にその瞬間の画像が抽出用モニタに形成される。
次に、画像の切り換え及び入れ換えの様子を図３、図４、図５、図６を例示して説明する。
図３は、画像Ａ１〜Ａ９を分割用モニタ６に（左図）、画像Ａ１０を抽出用モニタ７に（右図）、表示している様子を示すものである。
尚、画像は、Ａ１（初期工程）からＡ１０（最終工程）まで工程順に表示されているものとする。
図４は、画像Ａ１とＡ１０を切り換えた状態を示すもので、Ａ１の細部観察を抽出用モニタ７で行うことができる。
図５は、画像Ａ２とＡ１０を切り換えた状態を示すもので、Ａ２の細部観察を抽出用モニタ７で行うことができる。但し、この状態では、最終工程である画像Ａ１０がＡ１とＡ３の間に入っているため、分割用モニタ６は監視しづらいものとなっている。
図６は、図５の状態から、画像Ａ１０とＡ３を入れ換えた状態を示すものである。画像Ａ１とＡ３が隣り合うようにしたため、分割用モニタ６は監視しやすいものとなった。
次に、本考案によるカメラ１（及びカメラ取り付け台５）の遠隔操作の仕組みについて前掲の図１を例示して説明する。
尚、カメラ取り付け台５は、カメラ１の角度調節を行うための駆動機構、及びその動作を制御する制御機構から構成されている。
抽出用モニタ７に映像信号が入力すると、これがカメラ１（及びカメラ取り付け台５）を特定するための信号として、制御部４によって認識される。操作卓８により、カメラ１（及びカメラ取り付け台５）に係る指示入力をすることで、制御部４から、該当するカメラ１（及びカメラ取り付け台５）の各種機構を動作させるための制御信号が出力される。
尚、本実施例においては、分割用モニタ１台と抽出用モニタ１台とでシステム構成するようにしているが、これらを複数台として実施することも勿論可能である。
【図面の簡単な説明】
【０００７】
【図１】本考案による映像切換装置と、同装置を用いた映像切換システムの概略構成を示したものである。
【図２】本考案による映像切換装置の構成を示したものである。
【図３】映像信号を分割用モニタと抽出用モニタに画像表示させた状態を示すものである。
【図４】画像の切り換えの様子を示す一例である。
【図５】画像の切り換えの様子を示す一例である。
【図６】画像の入れ換えの様子を示す一例である。
【符号の説明】
【０００８】１  カメラ（１ａ〜１ｅ）
２  映像信号分割装置
３  映像信号切換装置
４  制御部
５  カメラ取り付け台
６  分割用モニタ（６ａ〜６ｄ）
７  抽出用モニタ
８  操作卓
Ｘ  接点（Ｘ１〜Ｘ５）
Ｙ  接点（Ｙ１〜Ｙ５）
Ｚ  接点（Ｚ１〜Ｚ５）
【図１】
0003129555.tif 000003
【図２】
0003129555.tif 000004
【図３】
0003129555.tif 000005
【図４】
0003129555.tif 000006
【図５】
0003129555.tif 000007
【図６】
0003129555.tif 000008